(57)【要約】【課題】  電気代が安く、処理時間の短い、臭いが少ない生ごみ処理機を提供する。【解決手段】  収納容器１０１内の生ごみを加熱する乾燥ヒータ１０３と、生ごみから発生する蒸気に含まれる臭気を脱臭する酸化触媒１０９と、前記収納容器１０１内に外気を供給する吸気通路１１３と、前記吸気通路１１３を流れる空気の流量を可変する電磁弁１６とを備え、生ごみの乾燥状態、内圧の状態、酸化触媒１０９が脱臭のために必要とする酸素を含んだ外気の量に応じて、吸気通路１１３を流れる空気の流量を可変して最適な条件で乾燥処理を行うことで、消費電力が少なく、生ごみの乾燥処理時間が短く、かつ処理時に発生する臭いが少ない生ごみ処理機を提供することができる。【選択図】  図１
2005034784.tif 000002
【特許請求の範囲】
【請求項１】
生ごみを収納する収納容器と、収納容器内の生ごみを加熱する加熱手段と、生ごみから発生する蒸気に含まれる臭気を脱臭する触媒と、前記触媒を加熱する触媒ヒータと、前記収納容器内に外気を供給する吸気通路と、前記吸気通路を流れる空気の流量を可変する手段とを備えた生ごみ処理機。
【請求項２】
吸気通路の少なくとも一部の開口面積を変化させて空気の流量を可変するようにした請求項１記載の生ごみ処理機。
【請求項３】
吸気通路に配した電磁弁で、空気の流量を可変するようにした請求項１または２記載の生ごみ処理機。
【請求項４】
吸気通路に、空気の流量を検知する流量センサを設けた請求項１〜３のいずれか１項に記載の生ごみ処理機。
【請求項５】
収納容器から酸化触媒側へ流出する水蒸気の温度を検出する蒸気温度センサを設け、前記蒸気温度センサの出力に応じて吸気通路を流れる空気の流量を制御する請求項１〜４のいずれか１項に記載の生ごみ処理機。
【請求項６】
蒸気温度センサの出力上昇時に吸気通路を流れる空気の流量を少なくするように制御する請求項５記載の生ごみ処理機。
【請求項７】
蒸気温度センサの出力上昇時に触媒ヒータの通電率を下げるように制御する請求項５または６記載の生ごみ処理機。
【請求項８】
蒸気温度センサの出力下降時に吸気通路を流れる空気の流量を多くするように制御する請求項５〜７のいずれか１項に記載の生ごみ処理機。
【請求項９】
蒸気温度センサの出力下降値に応じて段階的または連続的に前記通路を流れる空気の流量を多くするように制御する請求項５〜８のいずれか１項に記載の生ごみ処理機。
【請求項１０】
収納容器近傍の温度を直接または、間接的に検出する乾燥センサと、前記乾燥センサの出力を基に、収納容器内又はその近傍の温度を所定値に保つように加熱手段を制御する制御装置を有し、前記乾燥センサの出力に応じて吸気通路を流れる空気の流量を制御する請求項１〜９のいずれか１項に記載の生ごみ処理機。
【請求項１１】
乾燥センサの出力がある所定値に達するまで吸気通路を流れる空気の流量を少なくするようにした請求項１０記載の生ごみ処理機。
【請求項１２】
乾燥センサの出力下降時に吸気通路を流れる空気の流量を多くするように制御する請求項１０または１１記載の生ごみ処理機。
【請求項１３】
収納容器内に投入された生ごみの重量を検知する重量センサを設け、前記重量センサの出力に応じて吸気通路を流れる空気の流量を制御する請求項１〜１２のいずれか１項に記載の生ごみ処理機。
【請求項１４】
重量センサの出力変化より、単位時間当たりの生ごみから発生する水分蒸発量を算出し、その量が所定値以上になったら吸気通路を流れる空気の流量を少なくする請求項１３記載の生ごみ処理機。
【請求項１５】
重量センサの出力変化より、単位時間当たりの生ごみから発生する水分蒸発量を算出し、前記水分蒸発量に応じて段階的または連続的に吸気通路を流れる空気の流量を制御する請求項１３または１４の生ごみ処理機。
【請求項１６】
吸気通路を流れる空気の流量の制御に伴う酸化触媒の温度変化を低減するように触媒ヒータの通電率を制御する請求項１〜１５のいずれか１項に記載の生ごみ処理機。
【請求項１７】
酸化触媒のまたはその近傍の温度を直接または間接的に検出する触媒センサを設け、前記触媒センサの出力に応じて吸気通路を流れる空気の流量を制御する請求項１〜１６のいずれか１項に記載の生ごみ処理機。
【請求項１８】
触媒センサの出力がある所定値に達したとき吸気通路を流れる空気の流量を多くするように制御する請求項１７記載の生ごみ処理機。
【請求項１９】
触媒センサの出力が所定値に達したとき触媒ヒータの通電率を下げるよう制御する請求項１７または１８記載の生ごみ処理機。
【請求項２０】
蒸気温度センサ、乾燥センサ、重量センサ、触媒センサのうち少なくとも２つ以上のセンサの出力に応じて吸気通路を流れる空気の流量を制御する請求項１０〜１９のいずれか１項に記載の生ごみ処理機。
【発明の詳細な説明】
【技術分野】
【０００１】
本発明は、家庭やレストランの厨房で発生する生ごみを減量処理する生ごみ処理機の制御方式に関するものである。
【背景技術】
【０００２】
従来の生ごみ処理機について、図７を用いて説明する。
【０００３】
１００は、生ごみ処理機本体で、１０１は生ごみを収納する収納容器で、１０２は、収納容器１０１を開閉自在の覆う蓋である。収納容器１０１の内部には、ごみを撹拌する撹拌手段１０４が配され、その撹拌手段１０４はモータ１０５により減速装置１０５ａを介して駆動される。収納容器１０１の上部には、収納容器１０１内の温度を検出する温度検出手段である乾燥センサ１１２、生ごみを加熱する乾燥ヒータ１０３、乾燥ヒータ１０３で加熱された空気を撹拌しながら生ごみにの吹き付ける乾燥ファン１０６が設けてある。
【０００４】
１０９は、生ごみから発生する蒸気に含まれる臭気を脱臭する酸化触媒で、その出力側１０９ａは、生ごみから発生する蒸気を吸引すると共に外部に排出する排気ファン１０７に接続されている。また、酸化触媒１０９の入力側１０９ｂは、排気通路１０２ｂを介して、蓋１０２の底部に設けた吸気口１０２ａと連通している。１０８は、生ごみ処理機本体１００に設けた排気口で、排気ファン１０７によって排出された蒸気を、外部に排出するためのものである。
【０００５】
１１０は、酸化触媒１０９を加熱するための触媒ヒータで、１１１は排気通路１０２ｂの一部に設けられ、排気通路１０２ｂを通る蒸気の温度を直接若しくは間接的に検知する蒸気温度センサである。
【０００６】
１１３は、収納容器１０１内に外気を取りいれると共に、酸化触媒１０９に触媒反応用に酸素を供給するための吸気通路である。
【０００７】
上記構成による、作用は以下の通りである。
【０００８】
収納容器１０１に生ごみを投入して、生ごみ処理機本体１００の運転を開始すると、乾燥ヒータ１０３が通電され、乾燥ファン１０６により温風が、生ごみに吹き付けられ、乾燥処理が開始する。同時に触媒ヒータ１１０にも通電され酸化触媒１０９が脱臭能力を発揮する温度まで加熱される。乾燥ヒータ１０３、乾燥ファン１０６による生ごみの加熱温度は、常に乾燥センサ１１２で検知され、一定の温度になるように、図示しない制御回路によって制御される。
【０００９】
さらに、加熱乾燥処理中、排気ファン１０７が回転する事により、収納容器１０１内に負圧が作用し、吸気通路１１３から外気を取りいれ、生ごみから発生する蒸気とともに、吸気口１０２ａ、排気通路１０２ｂを経て酸化触媒１０９に送られ、そこで蒸気に含まれる臭気が脱臭され、次に排気ファン１０７より放出され、最終的に排気口１０８より生ごみ処理機本体１００の外に排出される。
【００１０】
生ごみの乾燥が進み、発生する蒸気の量が減ってくると、排気通路１０２ｂを通る蒸気が減るため、蒸気温度センサ１１１で検知される温度が低下してくる。その温度が所定の温度以下になったら、乾燥が終了したものとして、乾燥ヒータ１０３への通電を停止し、冷却工程に移る。冷却工程では、排気ファン１０７を所定時間あるいは、収納容器１０１内の温度が所定の温度以下になるまで回転させるようにし、最終的に本体の運転を停止する(例えば、特許文献１参照)。
【特許文献１】特開平９−２８９４０６号公報
【発明の開示】
【発明が解決しようとする課題】
【００１１】
しかしながら前記従来の生ごみ処理機においては、収納容器１０１内の生ごみからの蒸発量が多い場合、収納容器１０１内の負圧が充分に確保できず蒸気が逆流し、酸化触媒１０９に至る前で蒸気が外部に漏れ臭いが発生する事があった。
【００１２】
また、オレンジなどの柑橘類の皮を多量に処理すると、異常燃焼をし、収納容器１０１内また酸化触媒１０９内の酸素が欠乏し、脱臭性能が十分発揮されず臭いが外部に出るという問題があった。
【００１３】
さらに、吸気通路１１３に流れる空気量は常に一定なので、冷却工程時に収納容器１０１内に多量の外気を供給して、収納容器１０１内をより早く冷却することができなかった。
【００１４】
また、生ごみの加熱処理の開始にあたり、所定の乾燥温度まで立ち上げる際、吸気通路１１３より冷たい外気が、収納容器１０１内に流入するため、立ちあがりに時間がかかり、乾燥処理時間の短縮が困難であった。
【００１５】
本発明は上記課題を解決するもので、低ランニングコストで処理時間が短く、臭いが少ない生ごみ処理機を提供することを目的とするものである。
【課題を解決するための手段】
【００１６】
上記従来の課題を解決するために本発明の生ごみ処理機は、収納容器内の生ごみを加熱する加熱手段と、生ごみから発生する蒸気に含まれる臭気を脱臭する酸化触媒と、前記収納容器内に外気を供給する吸気通路と、前記吸気通路を流れる空気の流量を可変する手段とを備えたもので、前記収納容器内の生ごみの乾燥状態、内圧の状態、酸化触媒が脱臭のために必要とする酸素を含んだ外気の量に応じて、吸気通路を流れる空気の流量を可変して最適な条件で乾燥処理を行うことができる。
【発明の効果】
【００１７】
本発明は、収納容器内の生ごみの乾燥状態、内圧の状態、酸化触媒が必要とする空気の量に応じて、収納容器内に流入する外気を供給する吸気通路内の空気の流量を制御することにより、電気代が安く処理時間の短い、臭いの発生を防止することができる生ごみ処理機を提供することができる。
【発明を実施するための最良の形態】
【００１８】
第１の発明は、生ごみを収納する収納容器と、収納容器内の生ごみを加熱する加熱手段と、生ごみから発生する蒸気に含まれる臭気を脱臭する酸化触媒と、前記酸化触媒を加熱する触媒ヒータと、前記収納容器内に外気を供給する吸気通路と、前記吸気通路を流れる空気の流量を可変する手段とを備えたもので、前記収納容器内の生ごみの乾燥状態、内圧の状態、酸化触媒が脱臭のために必要とする酸素を含んだ外気の量に応じて、吸気通路を流れる空気の流量を可変する事により、消費電力が少なく、生ごみの乾燥処理時間が短く、かつ処理時に発生する臭いが少ない生ごみ処理機を提供することができる。
【００１９】
第２の発明は、吸気通路の少なくとも一部の開口面積を変化させて空気の流量を可変するようにしたもので、吸気通路内に外気を供給する手段の回転数等を可変する必要が無いので、同手段の制御が容易になる。
【００２０】
第３の発明は、吸気通路に配した電磁弁で、空気の流量を可変するようにしたもので、吸気通路を流れる空気の流量をきめ細かく調整ができるようになり、より乾燥効率が良く、より乾燥処理時間の短い生ごみ処理機を提供することができる。
【００２１】
第４の発明は、吸気通路に、空気の流量を検知する流量センサを設けたもので、吸気通路を流れる空気の流量を正確に検出ができ、しかもその検出結果を、空気の流量を可変する手段を制御する制御系にフィードバックすることで、よりきめ細かく、しかも適切に空気の流量を可変することができるようになる。
【００２２】
第５の発明は、収納容器から酸化触媒側へ流出する水蒸気の温度を検出する蒸気温度センサを設け、前記蒸気温度センサの出力に応じて吸気通路を流れる空気の流量を制御するもので、生ごみからの蒸気の発生状態に応じて、すなわち、生ごみの乾燥状態に応じて、吸気通路を流れる空気の流量を適切に制御することができ、電気代が安く処理時間の短い生ごみ処理機を提供することができる。
【００２３】
第６の発明は、蒸気温度センサの出力上昇時に吸気通路を流れる空気の流量を少なくするように制御するもので、蒸気温度センサの出力上昇時、すなわち、生ごみから蒸気が出始め、蒸気の熱により蒸気温度センサの出力が上昇している時に、吸気通路を流れる空気の流量を少なくすることにより、温度の低い外気の供給量が少なくなり、収納容器内の温度が上昇し易くなり、所定の処理温度まで上昇させるのに必要な時間、また必要な熱量も少なくすることができ、電気代が安く処理時間の短い生ごみ処理機を提供することができる。
【００２４】
第７の発明は、蒸気温度センサの出力上昇時に触媒ヒータの通電率を下げるように制御するもので、蒸気温度センサの出力上昇時、すなわち、生ごみから蒸気が出始め、蒸気の熱により蒸気温度センサの出力が上昇している時は、蒸発量が少ないので、その間触媒ヒータの通電率を下げても充分脱臭可能な性能を維持することができ、電気代が安い生ごみ処理機を提供することができる。
【００２５】
第８の発明は、蒸気温度センサの出力下降時に吸気通路を流れる空気の流量を多くするように制御するもので、蒸気温度センサの出力下降時、すなわち生ごみから発生する蒸気が減り蒸気温度センサの出力が下降している時は、生ごみが充分乾燥した状態にあり、この時に吸気通路を流れる空気の流量を多くすることにより、冷たい外気の吸引量が増え、収納容器内の冷却が促進され、処理時間の短い生ごみ処理機を提供することができる。
【００２６】
第９の発明は、蒸気温度センサの出力下降値に応じて段階的または連続的に前記通路を流れる空気の流量を多くするよう制御するもので、蒸気温度センサの出力下降値が少ないときは、収納容器内の生ごみからの蒸気が少なくなり始めつまり生ごみが乾燥し始めていることを示し、この下降値に応じて段階的または連続的に前記通路を流れる空気の流量を多くすることにより生ごみの乾燥度に応じて効率的に収納容器内を冷却することができ、処理時間の短い生ごみ処理機を提供することができる。
【００２７】
第１０の発明は、収納容器近傍の温度を直接または、間接的に検出する乾燥センサと、前記乾燥センサの出力を基に、収納容器内又はその近傍の温度を所定値に保つように加熱手段を制御する制御装置を有し、前記乾燥センサの出力に応じて吸気通路を流れる空気の流量を制御するもので、収納容器内の生ごみの乾燥状態を示す前記乾燥センサの出力に応じて、吸気通路を流れる空気の流量を制御することにより、処理時間の短い生ごみ処理機を提供することができる。
【００２８】
第１１の発明は、乾燥センサの出力が所定値に達するまで吸気通路を流れる空気の流量を少なくするようにしたもので、乾燥センサの出力がある所定値に達するまで間、すなわち所定の乾燥処理温度までの立ち上げの間、吸気通路の空気の流量を少なくして冷たい外気の流入を減らす事で、素早く収納容器内の温度を上昇させことができ、より早く生ごみを乾燥させることができ処理時間の短い生ごみ処理機を提供することができる。
【００２９】
第１２の発明は、乾燥センサの出力下降時に吸気通路を流れる空気の流量を多くするように制御するもので、乾燥センサの出力が下降している状態は、生ごみが充分乾燥し終わっている状態にあるので、ここで吸気通路の空気の流量を多くすることにより、冷たい外気の吸引量が多くなり、前記収納容器内の冷却が促進され、処理時間の短い生ごみ処理機を提供することができる。
【００３０】
第１３の発明は、収納容器内に投入された生ごみの重量を検知する重量センサを設け、前記重量センサの出力に応じて吸気通路を流れる空気の流量を制御するもので、生ごみの重量変化すなわち生ごみの乾燥状態に応じて、吸気通路の空気の流量を適切に制御することにより、電気代が安く、臭いの発生を防止することができる生ごみ処理機を提供することができる。
【００３１】
第１４の発明は、重量センサの出力変化より、単位時間当たりの生ごみから発生する水分蒸発量を算出し、その値が所定値以上になったら吸気通路を流れる空気の流量を少なくするもので、水分蒸発量が多い場合、収納容器内の負圧が充分に確保できず蒸気が逆流し臭いが漏れやすくなるが、吸気通路内の空気の流量を少なくすることにより、前記収納容器内の負圧を高くすることができ蒸気の逆流を防ぐことができ、臭い漏れを防止することができる生ごみ処理機を提供することができる。
【００３２】
第１５の発明は、重量センサの出力変化より、単位時間当たりの生ごみから発生する水分蒸発量を算出し、前記水分蒸発量に応じて段階的または連続的に吸気通路を流れる空気の流量を制御するもので、水分蒸発変化が増加方向に大きい場合は充分水分を含んだ状態から蒸発が開始する状態なので、この時に吸気通路の空気の流量を少なくして、前記収納容器内の温度を上り易くし、また、水分蒸発変化がほぼ一定の場合は、処理最中であり、吸気通路の空気の流量を、蒸発量に適した量にし、さらに、水分蒸発が減少方向に大きく変化する場合は、生ごみが乾燥状態に近いことを示しており、前記変化量に応じて吸気通路の空気の流量を多くすることで、前記収納容器内の冷却が早まり、処理時間の短い生ごみ処理機を提供することができる。
【００３３】
第１６の発明は、吸気通路を流れる空気の流量の制御に伴う酸化触媒の温度変化を低減するように触媒ヒータの通電率を制御するもので、前記通路の空気の流量を少なくすると、前記酸化触媒へ流れる空気量が少なくなり、前記酸化触媒の温度が上昇するので、触媒ヒータの通電率を下げることができ電気代の安い生ごみ処理機を提供することができる。
【００３４】
第１７の発明は、酸化触媒のまたはその近傍の温度を直接または間接的に検出する触媒センサを設け、前記触媒センサの出力に応じて吸気通路を流れる空気の流量を制御するもので、触媒センサの出力が低くなった時に、前記通路内の空気の流量を少なくすることで前記酸化触媒へ流れる空気量が少なくなり、前記酸化触媒の温度が上昇するように制御し、逆に触媒センサの出力が高くなった場合、前記通路内の空気の流量を多くすることで前記酸化触媒へ流れる空気量が多くなり、前記酸化触媒の温度が下降するように制御することにより安定した脱臭性能を出すことができ臭いの発生を防止することができる生ごみ処理機を提供することができる。
【００３５】
第１８の発明は、触媒センサの出力が所定値に達したとき吸気通路を流れる空気の流量を多くするように制御するもので、オレンジなどの柑橘類の皮を多量に処理する場合、燃焼しやすく前記酸化触媒の温度が上昇しある一定値をこえ、収納容器内また前記酸化触媒内の酸素が欠乏した状態になるが、吸気通路を流れる空気の流量を多くすることで、酸化触媒へ流れる空気量が多くなり、それにより酸素が十分供給され、酸素欠乏により発生する臭いを防止することができる生ごみ処理機を提供することができる。
【００３６】
第１９の発明は、触媒センサの出力が所定値に達したとき触媒ヒータの通電率を下げるよう制御するもので、オレンジなどの柑橘類の皮を多量に処理する場合、燃焼しやすく前記酸化触媒の温度が上昇しある一定値をこえたとき前記触媒ヒータの通電率を下げることにより、酸化触媒の異常過熱を防止するとともに、電気代の安い生ごみ処理機を提供することができる。
【００３７】
第２０の発明は、蒸気温度センサ、乾燥センサ、重量センサ、触媒センサのうち少なくとも２つ以上のセンサの出力に応じて吸気通路を流れる空気の流量を制御するもので、収納容器内の生ごみの乾燥状態、内圧の状態、酸化触媒が必要とする酸素量に応じて吸気通路の空気の流量を制御することにより、電気代が安く処理時間の短い、臭いの発生を防止することができる生ごみ処理機を提供することができる。
【００３８】
(実施の形態１)
以下、本発明の第１の実施の形態を、図１乃至３を用いて説明する。なお、本実施の形態の基本構成は、従来例と同一であるので、従来例と同一部分については、同一名称、符号を用いてその説明を省略する。
【００３９】
１４は酸化触媒９の温度を検出する触媒センサである。なお、機器全体の小型コンパクト化から蒸気温度センサ１１１の取付け位置は、排気通路１０２ｂの中で、触媒１０９の熱的影響のない蓋１０２側にとりつけるのが望ましい。１５は、収納容器内１０１に投入された生ごみの重量を測定する重量センサである。
【００４０】
処理中吸気通路１１３に流れる空気量を制御する電磁弁１６を吸気通路１１３の途中に設けている。図２は、電磁弁１６の取り付け部を示す拡大図で、１６ａは弁座で、１６ｂは、弁座１６ａを開閉する弁体で、サーボモータ１６ｃの駆動により上下に移動し、弁座１６ａと弁体１６ｂとの間の開口面積が可変できるようになっている。１６ｄは、サーボモータ１６ｃを収納するケーシングである。
【００４１】
電磁弁１６の下流側に吸気通路１１３内に流れる流量を測定する流量センサ１７を備えている。１８は、電磁弁１６、モータ１０５、乾燥ヒータ１０３、乾燥ファン１０６、触媒ヒータ１１０、蒸気温度センサ１１１、触媒センサ１４、重量センサ１５、流量センサ１７等の電気部品に接続され、それを制御する制御回路である。
【００４２】
次に上記のように構成された生ごみ処理機の動作について説明する。まず生ごみを蓋１０２を開けて収納容器１０１へ投入し蓋１０２を閉める。そして運転を開始すると加熱手段である乾燥ヒータ１０３、モータ１０５、触媒ヒータ１１０に通電する。また乾燥ファン１０６が回転し温風で収納容器１０１内の生ごみを乾燥させる。乾燥ヒータ１０３は位相制御により多段階の加熱量を発する構成をなしている。
【００４３】
図３は前記吸気通路１１３を流れる空気の流量の制御を前記蒸気温度センサ１１１と連動させた場合の運転開始から乾燥終了までのタイムチャート図である。蒸気温度センサ１１１の出力上昇時は前記収納容器１０１内の生ごみから蒸気が発生し始めて、蒸気の熱により蒸気温度センサ１１１の出力が上昇しており、前記収納容器１０１内の温度は上昇状態にある。よって前記収納容器１０１内の温度が上昇し易いように、電磁弁１６を制御して、前記吸気通路１１３内の空気の流量を少なくし外気の吸引量を減らす。これにより、温度上昇が早められる。
【００４４】
またこの時点では、生ごみからの蒸発量が少なく、臭いも少ないので蒸気が少ない前記触媒ヒータ１１０の通電を下げても充分脱臭性能を維持することができる。
【００４５】
また、収納容器１０１内の生ごみから蒸気が発生し終えて、蒸気の熱が少なくなり蒸気温度センサ１１１の出力が下降してくる。
【００４６】
そして、生ごみが充分乾燥し終えると、今度は収納容器１０１内を冷却する必要がある。その際、前記収納容器１０１内の温度が下降し易いよう、前記吸気通路１１３内の空気の流量を多くし外気の吸引量が多くなるよう制御することで、冷却が促進され、乾燥処理時間の短縮が可能になる。
【００４７】
また、蒸気温度センサ１１１の出力に応じて段階的または連続的に前記吸気通路１１３内の空気の流量を多くすることにより生ごみの乾燥度に応じて効率的に前記収納容器１０１内を冷却することもできる。
【００４８】
(実施の形態２)
次に、本発明の第２の実施の形態を図４を用いて説明する。なお、上記実施の形態と同一部分については、同一名称、符号を用いてその説明を省略する。
【００４９】
図３は吸気通路１１３を流れる空気の流量の制御を前記乾燥センサ１１２と連動させた場合の運転開始から乾燥終了までのタイムチャート図である。
【００５０】
乾燥センサ１１２の出力がある所定値に達するまでは、前記収納容器１０１内の温度を上昇させる必要がある。そこで前記収納容器１０１内の温度が上昇し易いよう、前記吸気通路１１３内の空気の流量を少なくし外気吸引量が少なくなるよう制御する。それにより、所定値までの立ち上りが早められる。
【００５１】
また、乾燥センサ１１２の出力が下降している時は、生ごみは充分乾燥しており前記収納容器１０１内を冷却する必要がある。そこで前記収納容器１０１内の温度が下降し易いよう、前記吸気通路１１３内の空気の流量を多くし外気吸引量が多くなるよう制御することで処理時間の短縮をおこなうことができる。
【００５２】
(実施の形態３)
次に、本発明の第３の実施の形態を図５を用いて説明する。なお、上記実施の形態と同一部分については、同一名称、符号を用いてその説明を省略する。
【００５３】
図４は、吸気通路１１３を流れる空気の流量の制御を前記重量センサ１５と連動させた場合の運転開始から乾燥終了までのタイムチャート図である。前記重量センサ１５により生ごみの水分蒸発量が多いと検知したとき、前記収納容器１０１内の負圧を高くして、蒸気の逆流を防ぎ臭いの発生を防止するため、前記吸気通路１１３を流れる空気の流量を少なくするように制御する。
【００５４】
また運転初期の水分蒸発変化がない場合、または増加方向に生じようとしている場合は充分水分を含んだ状態から蒸発しようとしている状態にあり前記吸気通路１１３内の空気の流量を少なくして前記収納容器内の温度をあがり易くし、水分蒸発変化が一定の場合は、処理最中であり蒸発量に適した前記吸気通路１１３内の空気の流量にし、ある蒸発量以上になったら蒸気逆流防止のため前記吸気通路１１３を流れる空気の流量を少なくし、そして、蒸発量が減少方向に大きく変化する場合は、生ごみが乾燥状態に近いことを示しており、前記吸気通路１１３を流れる空気の流量を多くすることで前記収納容器１０１内の冷却をはやくし処理時間を短くする。またこの制御により前記酸化触媒１０９へ流れる空気量が変化し、酸化触媒１０９の通電率を下げても脱臭性能を確保できる温度にすることができる。
【００５５】
(実施の形態４)
次に、本発明の第４の実施の形態を、図６を用いて説明する。なお、上記実施の形態と同一部分については、同一名称、符号を用いてその説明を省略する。
【００５６】
図５は前記吸気通路１１３を流れる空気の流量の制御を前記触媒センサ１４と連動させた場合の運転開始から乾燥終了までのタイムチャート図である。例えばオレンジなどの柑橘類の皮を多量に処理する場合、燃焼しやすく前記酸化触媒１０９の温度が上昇しある一定値をこえ、前記収納容器１０１内また前記酸化触媒１０９内の酸素が欠乏した状態になる。この時、前記吸気通路１１３内の空気の流量を多くすることで前記酸化触媒へ流れる空気量を多くし酸素を供給することにより酸素欠乏により脱臭性能劣化に伴う臭いを防止することができ、またこのとき前記酸化触媒１０９の温度は充分高く、前記触媒ヒータ１１０の通電率を下げても脱臭性能を維持することができる。
【００５７】
また、前記生ごみ処理機１００の前記蒸気温度センサ１１１、前記乾燥センサ１１２、前記重量センサ１５、前記触媒センサ１４のうち少なくとも２つ以上と連動させ前記吸気通路１１３内の空気の流量を制御することにより、前記収納容器１０１内の生ごみの乾燥状態、内圧の状態、酸化触媒１０９へ供給する酸素量をより正確に把握でき、それに応じて前記吸気通路１１３内の空気の流量を制御することができる。
【産業上の利用可能性】
【００５８】
以上のように、本発明にかかる生ごみ処理機によれば、生ごみの減量処理が、少ない電力で、短い乾燥処理時間で、しかも臭いが少ないので、家庭やレストランの厨房から排出される生ごみの処理に極めて有用である。
【図面の簡単な説明】
【００５９】
【図１】本発明の実施の形態１を示す生ごみ処理機の断面図
【図２】同生ごみ処理機の電磁弁の取り付け部の拡大図
【図３】同生ごみ処理機の動作を示すタイムチャート
【図４】本発明の実施の形態２を示す生ごみ処理機の動作を示すタイムチャート
【図５】本発明の実施の形態３を示す生ごみ処理機の動作を示すタイムチャート
【図６】本発明の実施の形態４を示す生ごみ処理機の動作を示すタイムチャート
【図７】従来の生ごみ処理機の断面図
【符号の説明】
【００６０】
１４  触媒センサ
１５  重量センサ
１６  電磁弁
１７  流量センサ
１０１  収納容器
１０２  蓋
１０３  乾燥ヒータ（加熱手段）
１０４  撹拌手段
１０５  モータ
１０６  乾燥ファン
１０７  排気ファン
１０８  排出路
１０９  酸化触媒
１１０  触媒ヒータ
１１１  蒸気温度センサ
１１２  乾燥センサ
１１３  吸気通路
【図１】
2005034784.tif 000003
【図２】
2005034784.tif 000004
【図３】
2005034784.tif 000005
【図４】
2005034784.tif 000006
【図５】
2005034784.tif 000007
【図６】
2005034784.tif 000008
【図７】
2005034784.tif 000009